(57)【要約】      （修正有）【課題】操作が簡単で、着脱可能なシールドを備えたヘルメットを提供する。【解決手段】前面に間隔をおいて設けられる複数の第一吸着部材を備える本体１０と、前記本体に装着され、後面に間隔をおいて設置され、それぞれ前記第一吸着部材に着脱可能な複数の第二吸着部材２２が設けられる枠部２１を有する位置決めフレーム２０と、前記位置決めフレームの前面に位置するように、位置決めフレームの後側両端に枢設されるシールド３０と、を有する。【選択図】図１
0003183086.tif 000002
【実用新案登録請求の範囲】
【請求項１】
前面に間隔をおいて設けられる複数の第一吸着部材を備える本体と、
前記本体に装着され、後面に間隔をおいて設置され、それぞれ前記第一吸着部材に着脱可能な複数の第二吸着部材が設けられる枠部を有する位置決めフレームと、
前記位置決めフレームの前面に位置するように、位置決めフレームの後側両端に枢設されるシールドと、を有することを特徴とするヘルメット。
【請求項２】
前記位置決めフレームの両側後端にそれぞれ、本体の前方両側に吸着される複数の吸着プレートが設けられることを特徴とする請求項１に記載のヘルメット。
【請求項３】
前記位置決めフレームの両側後端にそれぞれ、本体の前方両側に吸着される２つの吸着プレートが設けられることを特徴とする請求項２に記載のヘルメット。
【請求項４】
前記第一吸着部材及び第二吸着部材が永久磁石からなることを特徴とする請求項１ないし３の何れか１項に記載のヘルメット。
【考案の詳細な説明】
【技術分野】
【０００１】
本考案は、特に自転車に乗るときに、頭を保護するために使用するヘルメットに関するものである。
【背景技術】
【０００２】
自転車用ヘルメットは通常、自転車に乗るときに、乗車する者の頭部を保護するために着用するものであるが、従来の自転車用ヘルメットには、シールドが設けられていないので、日差しや風が強い時に、乗車する者の目を守ることができなく、且つ前方を目視し難いという問題があるので、非常に危険であった。
【０００３】
故に、この後、上記の問題に鑑み、日差しや風を受けることによる危険から身を守るためのシールド付きヘルメットが案出された。この既存のシールド付きヘルメットは、ヘルメットの前面に複数の凹ボタンが間隔をおいて設けられると共に、シールドの内面に、該複数の凹ボタンと対応する複数の凸ボタンが間隔をいて設けられ、これらを組み合わせると、シールドをヘルメットに装着することができることから、乗車する者の目を保護しながら前方からの日差しや風を防ぐことができるので、より安全に自転車を運転することができる。
【先行技術文献】
【特許文献】
【０００４】
【特許文献１】特開２０１２−２４１３０７号公報、要約
【考案の概要】
【考案が解決しようとする課題】
【０００５】
しかしながら、前記既存のシールド付きヘルメットは、ボタンの方式によりシールドをヘルメットに着装することから、シールドの位置や角度をヘルメットに対して調整することができない。したがって、夕方や夜間に自転車に乗る時には、わざわざシールドを取り外さなければ視界が暗くなり非常に危険である。なお、シールドをヘルメットから取り外してもよいが、シールドの着脱が面倒で、且つ収納も不便であるので、実用性に優れない。
【課題を解決するための手段】
【０００６】
本考案に係るヘルメットは、前面に間隔をおいて設けられる複数の第一吸着部材を備える本体と、前記本体に装着され、後面に間隔をおいて設置され、それぞれ前記第一吸着部材に着脱可能な複数の第二吸着部材が設けられる枠部を有する位置決めフレームと、前記位置決めフレームの前面に位置するように、位置決めフレームの後側両端に枢設されるシールドと、を有する。
【０００７】
かかるヘルメットにおいて、前記位置決めフレームの両側後端にそれぞれ、本体の前方両側に吸着される複数の吸着プレートが設けられることが好ましい。
【０００８】
かかるヘルメットにおいて、前記位置決めフレームの両側後端にそれぞれ、本体の前方両側に吸着される２つの吸着プレートが設けられることが好ましい。
【０００９】
かかるヘルメットにおいて、前記第一吸着部材及び第二吸着部材が永久磁石からなることが好ましい。
【考案の効果】
【００１０】
本考案は上記の構成を有することから、夕方や夜間に自転車に乗る時には、シールドを軽く上方へ枢転させれば、前方の視界を妨げることはないので、より安全に自転車に乗ることができる。また、本考案における第一吸着部材と第二吸着部材とは、磁気作用を利用するものであり、組立枠の本体に対する着脱が簡単であることから、使用者は場合に応じて適当なシールドを取り付けると、適用なヘルメットを提供する。
【図面の簡単な説明】
【００１１】
【図１】本考案に係るヘルメットの斜視図である。
【図２】本考案に係るヘルメットの部分分解斜視図である。
【図３】本考案に係るヘルメットにおけるシールドを使用している状態を示す側面図である。
【図４】本考案に係るヘルメットにおけるシールドを使用していない状態を示す側面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係るヘルメットは、本体１０と、位置決めフレーム２０と、シールド３０とを有する。
【００１４】
前記本体１０は、前面に複数の第一吸着部材１１が間隔をおいて設けられると共に、内部にクッションが取り付けられ、該クッションの前面に第一吸着部材１１が嵌め設けられる複数の凹部が形成される。
【００１５】
前記位置決めフレーム２０は、湾曲状或いは弧状の枠部２１を有すると共に、本体１０に面する後面に、第一吸着部材１１と結合可能な複数の第二吸着部材２２が間隔をおいて設置され、この構成により、位置決めフレーム２０を本体１０に装着する。
【００１６】
前記シールド３０は、位置決めフレーム２０の前面に位置するように、該位置決めフレーム２０の後側両端に枢設される。尚、前記シールド３０は、透明、色付き、例えば、光沢を有するフィルムやミラーフィルムのものでもよく、デザイン性に優れていればよい。
【００１７】
また、本考案に係るヘルメットは、複数の吸着プレート２３を備え、これら吸着プレート２３が前記位置決めフレーム２０の後側に設けられることにより、位置決めフレーム２０を本体１０の前面に吸着させる。尚、本実施例においては、吸着プレート２３がそれぞれ位置決めフレーム２０の後端両端に設けられ、また、本実施例における第一吸着部材１１及び第二吸着部材２２は、永久磁石からなる。
【００１８】
図３に示すように、昼間に自転車に乗る場合には、乗車する者４０に対する日差しや風の影響を防ぐために、シールド３０を本体１０に対して下方へ枢転させて乗車する者４０の視野を確保する。
【００１９】
一方、図４に示すように、夕方や夜間に、自転車に乗る場合には、シールド３０を、乗車する者４０の視野に入らない程度まで上方へ枢転させれば、安全に走行することができる。
【００２０】
また、本考案に係るヘルメットは、第一吸着部材１１と第二吸着部材２２との磁気作用を利用することから、位置決めフレーム２０を簡単に、迅速に、且つしっかりと本体１０に着脱することができる。
【００２１】
本考案に係るヘルメットにおける、本体１０と位置決めフレーム２０とは、磁気作用を利用することから、乗車する者４０の好みにより、或いは場合に応じて本体１０や、位置決めフレーム２０、シールド３０などを自由に取り替えられるので、個性的なヘルメットにすることができる。
【産業上の利用可能性】
【００２２】
上述したように、本考案に係るヘルメットは、位置決めフレームに枢設されたゴーグルシールドが、本体に対して枢転移動させることができることから、乗車する者の好みによって、或いは場合に応じて適当な位置に調整可能である。また、シールドを調整する時、、シールドを取り外さなくても構わず、シールドが着けたままで調整できることから、実用性且つ利便性を高める。
【００２３】
更に、本考案に係るヘルメットは、シールドにより、日差しや風による影響を防ぐことができると共に、シールド３０を自由に取り替えられることから、デザインの面においても楽しむことができる。
【符号の説明】
【００２４】
１０          本体
１１          第一吸着部材
２０          位置決めフレーム
２１          枠部
２２          第二吸着部材
２３          吸着プレート
３０          シールド
４０          乗車する者
【図１】
0003183086.tif 000003
【図２】
0003183086.tif 000004
【図３】
0003183086.tif 000005
【図４】
0003183086.tif 000006